(57)【要約】【課題】起動を迅速に行う一方、消費電力を抑えることができる表示装置、テレビジョン受信機及び表示装置の制御プログラムを提供する。【解決手段】表示装置１００は、表示部５と、外部の通信端末機９０から送信された無線の端末認識信号を受信する端末受信部９と、電源の給電状態を制御する電源制御部１１とを備え、該電源制御部１１は、全部停止状態で端末認識信号を受信することにより、給電状態を一部給電状態にし、全部給電状態又は端末認識信号を受信していないと判定することにより、給電状態を全部停止状態にする。【選択図】図２
2013198000.tif 000002
【特許請求の範囲】
【請求項１】
映像を表示するために機能する複数の機能部と、
該複数の機能部に給電を行う給電部とを備える表示装置において、
前記給電部より給電されており、通信端末機が発信した所定の信号を受信して所定の信号を送信する送受信部と、
該送受信部から所定の信号を受信することにより、前記給電部からの給電状態を、前記複数の機能部全部に給電を停止する全部停止状態から一部に給電する一部給電状態に移行させ、前記送受信部から所定の信号を受信しないことにより、前記給電部からの給電状態を、前記複数の機能部全部に給電する全部給電状態又は一部給電状態から全部停止状態に移行させる制御部とを備える
ことを特徴とする表示装置。
【請求項２】
通信端末機に固有の識別情報を記憶する記憶部と、
前記送受信部が通信端末機から受信した信号から、該信号に含まれる識別情報を抽出する抽出部とを備え、
前記制御部は、前記記憶部に記憶された識別情報と一致する識別情報を前記抽出部が抽出したか否かにより、給電状態を制御するようにしてある
ことを特徴とする請求項１に記載の表示装置。
【請求項３】
前記記憶部は、前記制御部が制御を開始する時刻及び終了する時刻が設定された時刻範囲を前記識別情報と関連付けて記憶しており、
前記制御部は、前記時刻範囲内に、前記記憶部に記憶された識別情報と一致する識別情報を前記抽出部が抽出したか否かにより、給電状態を制御するようにしてある
ことを特徴とする請求項２に記載の表示装置。
【請求項４】
請求項１から３のいずれか一つに記載の表示装置と、
テレビジョン放送を受信するチューナとを備え、
該チューナにて受信したテレビジョン放送に基づいて、前記表示部に映像を表示するようにしてある
ことを特徴とするテレビジョン受信機。
【請求項５】
信号を受信することにより、給電部からの給電状態を、複数の機能部全部に給電を停止する全部停止状態から一部に対して給電する一部給電状態に移行させ、信号を受信しないことにより、前記給電部からの給電状態を、前記複数の機能部全部に給電する全部給電状態又は一部給電状態から全部停止状態に移行させる処理をコンピュータに実行させる
ことを特徴とする表示装置の制御プログラム。
【発明の詳細な説明】
【技術分野】
【０００１】
本発明は、通信端末機から信号を受信する表示装置、テレビジョン受信機及び表示装置の制御プログラムに関する。
【背景技術】
【０００２】
テレビジョン受信機は消費電力を抑えるべく、視聴者が不在である場合には、電源をオフの状態にすることが望ましい。特許文献１には、視聴者の所有する携帯電話機に備えられた発信機から発信される信号を受信することにより、自動的に電源のオン／オフ制御を行うテレビ装置が記載されている。
【先行技術文献】
【特許文献】
【０００３】
【特許文献１】特開２００７−２１４８３４号公報
【発明の概要】
【発明が解決しようとする課題】
【０００４】
該テレビ装置は、電源オン／オフの２つの状態しかない。そのためテレビ装置は一旦全部停止状態にした後、再度全部給電状態にした場合、テレビ装置の制御部、チューナ、メモリ等の各部を起動するために一定の時間を要する。従って、視聴者が視聴を開始しようとして、全部停止状態にあるテレビ装置を全部給電状態にしたとしても、即時には表示を開始することができないという問題があった。
【０００５】
また、斯かるテレビ装置は、テレビ装置が携帯電話機から信号を受信した場合に、全部給電状態になる。そのため、携帯電話機の所有者がテレビ装置を視聴する意思が無い場合であっても全部給電状態になり、電力を浪費するという問題があった。
【０００６】
本発明は斯かる問題点に基づいてなされたものであり、全部給電状態になった場合に、即時に表示を開始することができる一方、消費電力を抑えることができる表示装置、テレビジョン受信機及び表示装置の制御プログラムを提供することを目的とする。
【課題を解決するための手段】
【０００７】
本発明の表示装置は、映像を表示するために機能する複数の機能部と、該複数の機能部に給電を行う給電部とを備える表示装置において、前記給電部より給電されており、通信端末機が発信した所定の信号を受信して所定の信号を送信する送受信部と、該送受信部から所定の信号を受信することにより、前記給電部からの給電状態を、前記複数の機能部全部に給電を停止する全部停止状態から一部に給電する一部給電状態に移行させ、前記送受信部から所定の信号を受信しないことにより、前記給電部からの給電状態を、前記複数の機能部全部に給電する全部給電状態又は一部給電状態から全部停止状態に移行させる制御部とを備えることを特徴とする。
【０００８】
本発明によれば、全部停止状態で送受信部が信号を受信した場合、制御部が表示装置の給電状態を一部給電状態にするので、爾後電源がオンになった場合に、即時に表示を開始することができる。また、全部給電状態又は一部給電状態で送受信部が信号を受信していないと判定した場合、制御部が表示装置の給電状態を全部停止状態にすることで、消費電力を抑えることができる。
【０００９】
本発明の表示装置は、通信端末機に固有の識別情報を記憶する記憶部と、前記送受信部が通信端末機から受信した信号から、該信号に含まれる識別情報を抽出する抽出部とを備え、前記制御部は、前記記憶部に記憶された識別情報と一致する識別情報を前記抽出部が抽出したか否かにより、給電状態を制御するようにしてあることを特徴とする。
【００１０】
本発明によれば、表示装置が端末の識別情報を記憶するので、登録された端末に限って給電状態を制御することができる。
【００１１】
本発明の表示装置は、前記記憶部は、前記制御部が制御を開始する時刻及び終了する時刻が設定された時刻範囲を前記識別情報と関連付けて記憶しており、前記制御部は、前記時刻範囲内に、前記記憶部に記憶された識別情報と一致する識別情報を前記抽出部が抽出したか否かにより、給電状態を制御するようにしてあることを特徴とする。
【００１２】
本発明によれば、記憶部が時刻情報を記憶するので、登録された端末が特定の時間内に限り給電状態を制御することができる。
【００１３】
本発明のテレビジョン受信機は、上述の表示装置と、テレビジョン放送を受信するチューナとを備え、該チューナにて受信したテレビジョン放送に基づいて、映像を表示するようにしてあることを特徴とする。
【００１４】
本発明によれば、テレビジョン受信機にて、全部給電状態になった場合に、即時に表示を開始し、また、消費電力を抑えることができる。
【００１５】
本発明の表示装置の制御プログラムは、信号を受信することにより、給電部からの給電状態を、複数の機能部全部に給電を停止する全部停止状態から一部に対して給電する一部給電状態に移行させ、信号を受信しないことにより、前記給電部からの給電状態を、前記複数の機能部全部に給電する全部給電状態又は一部給電状態から全部停止状態に移行させる処理をコンピュータに実行させることを特徴とする。
【００１６】
本発明によれば、表示装置の制御プログラムによって、全部給電状態になった場合に即時に表示を開始し、また、消費電力を抑えることができる。
【発明の効果】
【００１７】
本発明によれば全部停止状態では、受信部が信号を受信することにより、給電状態を一部給電状態にし、テレビジョン受信機を一部作動させるため、爾後全部給電状態になった場合に、即時に表示を開始することができる。また、全部給電状態又は一部給電状態で前記受信部が信号を受信していないと判定することにより給電状態を全部停止状態にすることで、消費電力を抑えることができる。
【図面の簡単な説明】
【００１８】
【図１】第１の実施の形態の概要を示す説明図である。
【図２】第１の実施の形態におけるテレビジョン受信機を示すブロック図である。
【図３】第１の実施の形態における電源制御部の処理を示すフローチャートである。
【図４】第２の実施の形態における電源制御部の処理を示すフローチャートである。
【図５】第３の実施の形態におけるテレビジョン受信機を示すブロック図である。
【図６】識別情報テーブルを示す説明図である。
【図７】第３の実施の形態における電源制御部の処理を示すフローチャートである。
【図８】識別情報と記憶されている映像データとを示す説明図である。
【図９】第３の実施の形態におけるテレビジョン受信機を示すブロック図である。
【図１０】時刻情報を示す図表である。
【図１１】第４の実施の形態における電源制御部の処理を示すフローチャートである。
【図１２】第４の実施の形態における電源制御部の処理を示すフローチャートである。
【発明を実施するための形態】
【００１９】
第１の実施の形態
第１の実施の形態について説明する。図１は第１の実施の形態の概要を示す説明図である。図１Ａはテレビジョン受信機１００が通信端末機９０より送信された無線の端末認識信号を受信した場合を示す。通信端末機９０は一定強度の無線の端末認識信号を周期的に送信している。無線の端末認識信号をテレビジョン受信機１００が受信可能な範囲外から範囲内に通信端末機９０が移動した場合には、テレビジョン受信機１００は端末認識信号を受信し、給電状態を全部停止状態から一部給電状態、即ち表示は行われないが、全部給電状態にした際に即時に表示することが可能な状態にする。
【００２０】
図１Ｂはテレビジョン受信機１００が通信端末機９０より送信された無線の端末認識信号を受信していない場合を示す。テレビジョン受信機１００が無線の端末認識信号を受信可能な範囲内から範囲外に通信端末機９０が移動した場合には、テレビジョン受信機１００は端末認識信号を受信することができないので、給電状態を全部給電状態又は一部給電状態から全部停止状態にする。
【００２１】
図２は、第１の実施の形態におけるテレビジョン受信機１００を示すブロック図である。テレビジョン受信機１００は、電源部１と、ＨＤＤ（Hard Disk Drive）６と、機能部である操作制御部２、ＲＯＭ(Read Only Memory)３、ＲＡＭ(Random Access memory)４、表示部５、映像処理部７、送受信部であるリモコン受信部８及び端末受信部９とを含む。電源部１は、制御部である電源制御部１１、計時部１２、給電部１３、判定部１４及び信号部１５を含む。表示部５は表示パネル５１及びバックライト５２を含む。映像処理部７は、チューナ７１、復調部７２、復号部７３及びＯＳＤ（On Screen Display）部７４を含む。本実施の形態におけるテレビジョン受信機１００は、チューナ７１にて受信したテレビジョン放送に基づいて、表示装置の表示部５に映像を表示するようにしたものである。
【００２２】
映像処理部７のチューナ７１は、外部の放送波受信アンテナ７０ａからテレビジョン放送が入力される。チューナ７１は入力されたテレビジョン放送を、チャンネル毎の信号及び番組情報信号に分離する。番組情報は番組表及び番組の題名、内容及び出演者等を示す情報である。チューナ７１は、操作制御部２から送信された指示信号により選択された特定のチャンネルに該当する信号と、番組情報信号とを復調部７２に送信する。
【００２３】
復調部７２は、チャンネル毎に分離された信号をＭＰＥＧ（Moving Picture Experts Group）−２ＴＳ（Transport Stream）又はＭＰＥＧ４等のストリームデータに復調して復号部７３へ送信する。復調部７２は、外部の映像再生装置７０ｂから入力された信号も同様に復調して復号部７３へ送信する。また、復調部７２は、復調処理と併せてチャンネル毎に分離された信号に誤り訂正処理を行う。
【００２４】
復号部７３は、同期をとりながら受信したストリームデータを復号し、映像データと番組情報データとに分離する。復号部７３は、映像データを表示部５に送信し、番組情報データをＯＳＤ部７４に送信する。
【００２５】
ＯＳＤ部７４は、番組情報データに基づく番組情報又はチャンネル番号等の表示の他、所定の文字又は画像等を表示部５に表示させるための情報を表示部５に送信する。
【００２６】
表示部５は、液晶ディスプレイであり、表示パネル５１は、復号部７３から入力された映像データに基づき、映像を表示する。また、バックライト５２は、操作制御部２から入力された制御信号に基づいて点灯及び消灯する。なお、表示部５は、プラズマディスプレイ又は有機ＥＬ(Electro Luminescence)ディスプレイ等であってもよい。
【００２７】
ＨＤＤ６には、録画された映像データ、テレビ放送の番組情報等が記憶される。ＨＤＤ６は、ＥＥＲＯＭ（Electrically Erasable Read Only Memory）又はＳＳＤ（Solid State Drive）等の書き込み及び消去可能な記憶媒体で代用してもよい。
【００２８】
操作制御部２は、ＣＰＵ（Central Processing Unit）又はＭＰＵ（Micro Processing Unit）等で構成されており、ＲＯＭ３に予め格納されている制御プログラムを適宜ＲＡＭ４に読み出して、電源部１、ＲＯＭ３、ＲＡＭ４、表示部５、ＨＤＤ６、映像処理部７、リモコン受信部８及び端末受信部９の動作制御を実行する。ＲＯＭ３は、ＥＥＲＯＭ又はフラッシュメモリ等で構成され、表示装置が動作するために必要な種々の制御プログラムを予め格納してある。ＲＡＭ４はＳＲＡＭ又はフラッシュメモリ等であり、操作制御部２による制御プログラムの実行時に発生する種々のデータを一時的に記憶する。
【００２９】
操作制御部２には、リモコン受信部８よりリモコン制御信号が送信される。リモコン受信部８は、無線ＬＡＮ（Local Area Network）通信を行うＬＡＮカード又は赤外線通信を行うフォトセンサである。リモコン制御信号は、リモコン８０から送信された無線ＬＡＮ通信又は赤外線通信等に用いる無線のリモコン制御信号を受信したリモコン受信部８が、電気信号に変換して操作制御部２により送信される。
【００３０】
リモコン制御信号は、例えばチャンネルの切替又は番組表の表示等各部の指示を行うための信号である。斯かるリモコン制御信号は、操作制御部２から各部へ送信される。例えばチャンネルの選択を行うリモコン制御信号が送信された場合は、操作制御部２はチューナ７１に指示信号を送信し、チャンネルを切り替える。番組表の表示を行うリモコン制御信号が送信された場合は、操作制御部２は、ＯＳＤ部７４に指示信号を送信し、表示部５に番組表を表示させる。ただし、リモコン受信部８は、電源のオン／オフを行う無線のリモコン制御信号を受信した場合には、電源制御部１１に送信する。
【００３１】
操作制御部２には、端末受信部９より端末制御信号が送信される。端末受信部９は、例えば無線ＬＡＮ通信を行うＬＡＮカード又はBluetooth（登録商標）等の規格に基づく無線信号を受信する受信装置である。携帯電話、スマートフォン又はＰＤＡ等通信用の通信端末機９０から無線ＬＡＮ又はBluetooth（登録商標）等の規格に基づき送信された無線の端末制御信号を受信する。端末受信部９は受信した無線の端末制御信号を、電気信号に変換して操作制御部２に送信する。端末制御信号は、リモコン制御信号と同様に各部の指示を行うための信号である。
【００３２】
また、通信端末機９０は周期的に無線の端末認識信号を送信しており、端末受信部９が受信する。端末受信部９は、無線の端末認識信号を電気信号に変換し、電源制御部１１に送信する。無線の端末認識信号の信号強度及び端末受信部９の受信感度は、通信端末機９０と表示装置との距離が例えば数ｍ程度以内である場合に無線の端末認識信号を受信することができるよう設定されている。
【００３３】
電源部１の給電部１３は、外部電源１０より供給を受けた電力を操作制御部２、ＲＯＭ３、ＲＡＭ４、表示部５、ＨＤＤ６、映像処理部７、リモコン受信部８及び端末受信部９の各部に供給する。計時部１２は現在時刻を計時する他、特定の時点からの経過時間を測定する。また、電源制御部１１は、端末受信部９より端末認識信号を受信し、又給電部１３に電源の供給及び停止を指示する信号を送信する信号部１５を備える。さらに電源制御部１１は、端末受信部９より端末認識信号を受信したか否かを判定する判定部１４を備える。判定部１４は端末認識信号を受信したか否かの判定結果を周期的に電源制御部１１に送信する。
【００３４】
電源制御部１１が行う制御について説明する。電源制御部１１は、表示装置の給電状態を、全部給電、一部給電又は全部停止の３つのいずれかの状態にするよう制御する。全部給電状態では、操作制御部２、ＲＯＭ３、ＲＡＭ４、表示部５、ＨＤＤ６、映像処理部７、リモコン受信部８及び端末受信部９が給電される。また、全部停止状態では、リモコン受信部８及び端末受信部９が給電され、操作制御部２、ＲＯＭ３、ＲＡＭ４、表示部５、ＨＤＤ６及び映像処理部７の給電は停止される。一部給電状態では、操作制御部２、ＲＯＭ３、ＲＡＭ４、ＨＤＤ６、映像処理部７、リモコン受信部８及び端末受信部９が給電され、表示部５の給電は停止される。なお、電源制御部１１、計時部１２及び給電部１３は、外部から電源が供給される限り、給電状態によらず作動している。
【００３５】
電源制御部１１の動作について説明する。リモコン受信部８が、リモコン８０より電源のオン／オフを制御する無線のリモコン制御信号を受信した場合、信号部１５は、リモコン受信部８よりリモコン制御信号を受信する。電源をオンにするリモコン制御信号を受信した場合は、電源制御部１１は全部給電状態になる。電源をオフにするリモコン制御信号を受信した場合は、電源制御部１１は全部停止状態になる。
【００３６】
また、全部給電状態で電源制御部１１は判定部１４に、信号部１５が端末受信部９より端末認識信号を受信したか否かの判定を行わせる。判定部１４が端末認識信号を受信したと判定した場合は、全部給電状態を継続する。即ち、電源制御部１１は、給電部１３に対し、操作制御部２、ＲＯＭ３、ＲＡＭ４、表示部５、ＨＤＤ６、映像処理部７、リモコン受信部８及び端末受信部９への給電を行うよう指示を行う。全部給電状態であって、例えば１０分等一定時間の間、信号部１５が一定時間内に端末認識信号を受信しなかった場合は、判定部１４は端末認識信号を受信していないと判定し、全部停止状態にする。即ち、電源制御部１１の信号部１５は、給電部１３に対し、リモコン受信部８及び端末受信部９への給電を行い、操作制御部２、ＲＯＭ３、ＲＡＭ４、表示部５、ＨＤＤ６及び映像処理部７への給電を停止するよう指示信号を送信する。
【００３７】
また、電源制御部１１は、全部停止状態又は一部給電状態で、端末認識信号を受信したか否かを判定する。ここで、一部給電状態では、電源制御部１１が給電部１３に対し、操作制御部２、ＲＯＭ３、ＲＡＭ４、ＨＤＤ６、映像処理部７、リモコン受信部８及び端末受信部９に給電を行い、表示部５の給電を停止するよう指示を行う。
【００３８】
全部停止状態又は一部給電状態で、端末認識信号を受信していないと判定部１４が判定した場合は、電源制御部１１は、全部停止状態を維持し、又は全部停止状態に移行する。端末認識信号を受信したと判定部１４が判定した場合には、電源制御部１１は、給電状態を一部給電状態に移行する、又は一部給電状態を継続する。
【００３９】
操作制御部２及び映像処理部７は給電開始後、起動処理に一定の時間を要するので、予め一部給電状態にしておくことにより、全部停止状態と比較して、表示部５が短い時間で表示を開始することができる。また、一部給電状態の間にも映像処理部７は番組情報を取得するので、電源オン時には番組表が最新の状態に更新されている。
【００４０】
電源制御部１１が行う処理について説明する。図３は第１の実施の形態における電源制御部１１の処理を示すフローチャートである。まず、電源制御部１１は、判定部１４に、電源オンの状態即ち全部給電状態であるか否かを判定させる（ステップＳ１１）。全部給電状態である場合は（ステップＳ１１でＹＥＳ）、電源制御部１１は計時部１２に計時を開始させる（ステップＳ１２）。信号部１５が一定時間内に端末認識信号を受信したか否かを判定部１４が判定し、電源制御部１１は、判定結果を受信する（ステップＳ１３）。電源制御部１１は、判定部１４の判定結果が端末認識信号を受信したことを示すものである場合は（ステップＳ１３でＹＥＳ）、全部給電状態にしたまま処理を終了する。電源制御部１１は、判定部１４の判定結果が端末認識信号を受信していないことを示すものである場合は（ステップＳ１３でＮＯ）、全部停止状態にし（ステップＳ１４）、処理を終了する。全部給電状態ではない場合は（ステップＳ１１でＮＯ）、電源制御部１１は、判定部１４に端末受信部９から端末認識信号を受信しているか否かを判定させる（ステップＳ１５）。
【００４１】
電源制御部１１は、判定部１４の判定結果が端末認識信号を受信したことを示すものである場合は（ステップＳ１５でＹＥＳ）、給電状態が一部給電状態であるか否かを判定する（ステップＳ１６）。一部給電状態の場合には（ステップＳ１６でＹＥＳ）、一部給電状態を継続したまま処理を終了する。電源制御部１１は、全部停止状態の場合は（ステップＳ１６でＮＯ）、一部給電状態に移行し（ステップＳ１７）、処理を終了する。
【００４２】
電源制御部１１は、判定部１４の判定結果が端末認識信号を受信していないことを示すものである場合は（ステップＳ１５でＮＯ）、給電状態が全部停止状態であるか否かを判定する（ステップＳ１８）。電源制御部１１は、全部停止状態の場合には（ステップＳ１８でＹＥＳ）、全部停止状態を継続したまま処理を終了する。電源制御部１１は、一部給電状態の場合は（ステップＳ１８でＮＯ）、全部停止状態に移行し（ステップＳ１９）、処理を終了する。
【００４３】
以上、本実施の形態によれば、全部停止状態で、端末受信部９が無線の端末認識信号を受信したと判定した場合、電源制御部１１が表示装置の給電状態を一部給電状態にするので、全部給電状態になった場合に、即時に表示を開始することができる。
【００４４】
また、全部給電状態又は一部給電状態で、端末受信部９が無線の端末認識信号を受信していないと判定した場合、電源制御部１１が表示装置の給電状態を全部停止状態にすることで、消費電力を抑えることができる。
【００４５】
第２の実施の形態
第２の実施の形態について説明する。本実施の形態は、全部給電状態で操作制御部２がリモコン受信信号を受信したか否かにより給電状態を制御する形態に関する。
【００４６】
本実施の形態では、全部停止状態では、電源制御部１１は第１の実施の形態と同様の動作を行う。一方全部給電状態では、電源制御部１１は、計時部１２に計時を開始させ、計時開始後一定時間内にリモコン８０が操作されたか否かを判定する。リモコン８０が操作された場合には、リモコン受信部８が無線のリモコン制御信号を受信し、操作制御部２がリモコン制御信号を受信する。操作制御部２は受信したことを示す信号を、判定部１４に送信する。判定部１４は判定結果を電源制御部１１に送信する。なお、この場合のリモコン制御信号は、何らかの指示を行うものであればよく、特に限定は無い。
【００４７】
操作制御部２がリモコン制御信号を受信した場合には、電源制御部１１は、全部給電状態を維持する。操作制御部２がリモコン制御信号を受信しなかった場合は、電源制御部１１は、計時部１２に計時をリセットさせ、再度計時を開始させる。
【００４８】
再度の計時開始後、一定時間内に端末認識信号を受信したことを示す判定結果を受信した場合は、電源制御部１１は、一部給電状態に移行して処理を終了する。一方、一定時間内に端末認識信号を受信しなかった場合は、電源制御部１１は、全部停止状態に移行して処理を終了する。
【００４９】
電源制御部１１が行う処理について説明する。図４は第２の実施の形態における電源制御部１１の処理を示すフローチャートである。まず、電源制御部１１は、判定部１４に、電源オンの状態即ち全部給電状態であるか否かを判定させる（ステップＳ２１）。表示装置が全部給電状態である場合は（ステップＳ２１でＹＥＳ）、電源制御部１１は、計時部１２に計時を開始させる（ステップＳ２２）。電源制御部１１は、判定部１４に計時部１２が計時開始後一定時間内におけるリモコンの操作が有ったか否かを判定させる（ステップＳ２３）。電源制御部１１は、判定部１４が一定時間内にリモコンの操作があったと判定した場合は（ステップＳ２３でＹＥＳ）、処理を終了する。
【００５０】
電源制御部１１は、判定部１４がリモコンの操作が無いと判定した場合は（ステップＳ２３でＮＯ）、計時部１２に計時をリセットさせ、改めて計時を開始させる（ステップＳ２４）。信号部１５が一定時間内に端末認識信号を受信したか否かを判定部１４が判定し、電源制御部１１は、判定結果を受信する（ステップＳ２５）。電源制御部１１は、判定結果が端末認識信号を受信したことを示すものである場合は（ステップＳ２５でＹＥＳ）、一部給電状態に移行し（ステップＳ２６）、処理を終了する。電源制御部１１は、判定結果が端末認識信号を受信していないことを示すものである場合は（ステップＳ２５でＮＯ）、電源を全部停止状態に移行し（ステップＳ２７）、処理を終了する。
【００５１】
全部給電状態でない場合は（ステップＳ２１でＮＯ）、電源制御部１１はステップＳ２８〜３２の処理を行う。該処理は、第１の実施の形態におけるステップＳ１５〜１９と同様の処理であるであるため、説明を省略する。
【００５２】
一定時間内にリモコン制御信号を受信した場合は通信端末機９０の所有者が表示装置を視聴していると考えられるので、電源制御部１１は、全部給電状態を継続する。
【００５３】
一方、一定時間内にリモコンの操作が無い場合は、電源制御部１１が端末認識信号を受信したときは、通信端末機９０の所有者が表示装置の近くにはいるがテレビを視聴していないと考えられるので、一部給電状態にする。電源制御部１１が端末認識信号を受信していないときは、通信端末機９０の所有者が表示装置の近くにいないと考えられるので、電源を全部停止状態に移行する。
【００５４】
本実施の形態によれば、電源制御部１１がリモコン制御信号を受信したか否かにより電源制御部が給電状態を制御するので、表示装置の視聴者の有無を適切に判定して給電状態を適切に制御することができる。
【００５５】
全部給電状態で、電源制御部１１が、判定部１４に一定時間内におけるリモコンの操作が有ったか否かを判定させる際に、操作制御部２は、「リモコンによる操作が無い場合、まもなく電源をオフにします」とする表示を表示部５が行うよう、ＯＳＤ部７４に指示信号を送信するようにしてもよい。この場合、ＯＳＤ部７４は指示信号に従い、斯かる表示を示す情報を表示部５に送信する。表示部５は受信した情報に従い表示を行う。
【００５６】
また、計時開始後一定時間内に、判定部１４がリモコン制御信号を受信したと判定した場合は、操作制御部２は「リモコンによる操作が行われたので、このまま電源をオンにします。」とする表示を表示部５が行うよう、ＯＳＤ部７４に指示信号を送信するようにしてもよい。この場合、ＯＳＤ部７４は指示信号に従い、斯かる表示を示す情報を表示部５に送信する。表示部５は受信した情報に従い表示を行う。
【００５７】
第３の実施の形態
第３の実施の形態について説明する。第３の実施の形態は、表示装置に登録された通信端末機９０に固有の識別情報を認証する形態に関する。
【００５８】
図５は第３の実施の形態におけるテレビジョン受信機１００を示すブロック図である。本実施の形態では電源部１に記憶部である識別情報テーブル１７が設けられている。図６は識別情報テーブルを示す説明図である。識別情報テーブル１７には、予め登録された通信端末機９０に固有の識別情報、及び登録する際に通信端末機９０により入力されたユーザ名が記憶されている。識別情報は、通信端末機９０固有に定められた例えばパスキー又はＩＤでもよく、登録されたパスワード又はメールアドレス等であってもよい。ユーザ名は登録時にリモコン８０又は通信端末機９０より設定される。本実施の形態では、識別情報テーブル１７には、識別情報「Ａ１２３Ｚ」ユーザ名「Ａ」、識別情報「Ｂ４５６Ｙ」ユーザ名「Ｂ」、識別情報「Ｃ７８９Ｘ」ユーザ名「Ｃ」の３つが記録されている。
【００５９】
また、本実施の形態に係る通信端末機９０は、無線の端末認識信号に識別信号が含まれている。無線の端末認識信号を受信した端末受信部９が端末認識信号を電源部１に送信した場合、抽出部１６が端末認識信号から識別情報を抽出する。判定部１４が端末認識信号を受信したと判定した場合、電源制御部１１は識別情報テーブル１７から識別情報を読み出し、判定部１４に端末認識信号に含まれる識別情報が識別情報テーブル１７に記憶された識別情報と一致するか否かを認証する認証処理を行わせる。
【００６０】
例えば端末認識信号に識別情報「Ａ１２３Ｚ」が含まれている場合は、判定部１４は、登録されている識別情報と端末認識信号に含まれる識別情報とが一致すると判定する。また両者の識別情報が一致した場合であって、全部給電状態であるときは、電源制御部１１は、操作制御部２を介して、「Ａさんの端末を認識しました」とする表示を表示部５が行うよう、ＯＳＤ部７４に指示信号を送信するようにしてもよい。
【００６１】
一方、識別情報「Ｄ０１２Ｗ」が含まれる無線の端末認識信号が送信された場合には、判定部１４は登録されている３つの識別情報を順番に認証し、登録された識別情報と端末認識信号に含まれる識別情報とが一致しないと判定する。
【００６２】
判定部１４が認証処理の結果、一致すると判定した場合は、第１の実施の形態で電源制御部１１が端末認識信号を受信した場合と同様の処理を行う。一致しないと判定した場合は、電源制御部１１は、第１の実施の形態で端末認識信号を受信していない場合と同様の処理を行う。
【００６３】
電源制御部１１が行う処理について説明する。図７は第３の実施の形態における電源制御部１１の処理を示すフローチャートである。まず、電源制御部１１は、判定部１４に、電源オンの状態即ち全部給電状態であるか否かを判定させる（ステップＳ４１）。表示装置が全部給電状態である場合は（ステップＳ４１でＹＥＳ）、電源制御部１１は計時部１２に計時を開始させる（ステップＳ４２）。信号部１５が一定時間内に端末認識信号を受信したか否かを判定部１４が判定し、電源制御部１１は、判定結果を受信する（ステップＳ４３）。電源制御部１１は、判定結果が端末認識信号を受信していないことを示すものである場合は（ステップＳ４３でＮＯ）、全部停止状態に移行し（ステップＳ４４）、処理を終了する。一方、電源制御部１１は、判定結果が端末認識信号を受信したことを示すものである場合は（ステップＳ４３でＹＥＳ）、電源制御部１１は、識別情報を抽出部１６から抽出させ（ステップＳ４５）、識別情報テーブル１７から登録された識別情報を読み出す（ステップＳ４６）。
【００６４】
電源制御部１１は判定部１４に端末認識信号に含まれる識別情報と読み出した識別情報とが一致するか否かを判定させる（ステップＳ４７）。電源制御部１１は、判定部１４が両者の識別情報が一致したと判定した場合は（ステップＳ４７でＹＥＳ）、全部給電状態のまま処理を終了する。電源制御部１１は、両者の識別情報が一致しなかったと判定した場合は（ステップＳ４７でＮＯ）、全部停止状態に移行し（ステップＳ４４）、処理を終了する。
【００６５】
全部給電状態でない場合は（ステップＳ４１でＮＯ）、信号部１５が一定時間内に端末認識信号を受信したか否かを判定部１４が判定し、電源制御部１１は、判定結果を受信する（ステップＳ４８）。電源制御部１１は、判定結果が端末認識信号を受信していないことを示すものである場合は（ステップＳ４８でＮＯ）、給電状態が全部停止状態であるか否かを判定する（ステップＳ４９）。電源制御部１１は、全部停止状態の場合には（ステップＳ４９でＹＥＳ）、全部停止状態のまま、処理を終了する。電源制御部１１は、一部給電状態の場合は（ステップＳ４９でＮＯ）、全部停止状態に移行し（ステップＳ５０）、処理を終了する。
【００６６】
電源制御部１１は、判定部１４の判定結果が端末認識信号を受信したことを示すものである場合は（ステップＳ４８でＹＥＳ）、識別情報を抽出部１６から抽出させ（ステップＳ５１）、識別情報テーブル１７から登録された識別情報を読み出す（ステップＳ５２）。電源制御部１１は端末認識信号に含まれる識別情報と読み出した識別情報とが一致するか否かを判定する認証処理を行う（ステップＳ５３）。電源制御部１１は、認証処理の結果、両者の識別情報が一致しない場合は（ステップＳ５３でＮＯ）、前述の通り、給電状態が全部停止状態であるか否かを判定する（ステップＳ４９）。
【００６７】
両者の識別情報が一致した場合は（ステップＳ５３でＹＥＳ）、電源制御部１１は、テレビジョン受信機が一部給電状態であるか否かを判定する（ステップＳ５４）。一部給電状態の場合には（ステップＳ５４でＹＥＳ）、一部給電状態を継続したまま処理を終了する。電源制御部１１は、全部停止状態の場合は（ステップＳ５４でＮＯ）、一部給電状態に移行し（ステップＳ５５）、処理を終了する。
【００６８】
本実施の形態によれば、表示装置が通信端末機９０の識別情報を記憶するので、端末の所有者が表示装置を視聴することを時間毎に制限することができる。
【００６９】
識別情報を利用して、記憶されている識別情報毎にＨＤＤ６が特定の記憶領域を使用できるようにしてもよい。録画予約時にリモコン８０から登録されることにより、ＨＤＤ６に映像データは、特定の識別情報と関連付けられて記憶されている。図８は、識別情報と記憶されている映像データとを示す説明図である。識別情報「Ａ１２３Ｚ」、識別情報「Ｂ４５６Ｙ」、識別情報「Ｃ７８９Ｘ」毎にＨＤＤ６内にフォルダが作成されており、フォルダ内に識別情報と関連付けられた映像データが記憶されている。
【００７０】
全部給電状態で、電源制御部１１が識別情報を受信している間は、受信していることを示す信号を操作制御部２に送信する。操作制御部２は、電源制御部１１から識別情報を受信している間、受信している識別情報と関連付けられた映像データをＨＤＤ６から読み出すことができる。リモコン制御信号により、操作制御部２は読み出し可能な映像データの中から特定の映像データを選択し、ＨＤＤ６より読み出す。操作制御部２は、読み出した映像データに基づく映像を表示させるよう、表示部５に指示信号を送信する。
【００７１】
操作制御部２は、識別情報を複数受信している場合には、該複数の識別情報に対応する使用領域の全てを使用可能としてもよいし、一部のみを使用可能としてもよい。これにより、特定の端末の所有者のみが、ＨＤＤ６に記憶された特定の映像データを視聴可能になる。
【００７２】
第４の実施の形態
第４の実施の形態について説明する。本実施の形態は、端末固有の識別情報と時刻情報とが関連付けられて記憶されている形態に関する。
【００７３】
図９は第４の実施の形態におけるテレビジョン受信機１００を示すブロック図である。本実施の形態では、記憶部である時刻情報テーブル１８に時刻情報が記憶されている。時刻情報とは、使用する時刻範囲が示された情報である。時刻情報は通信端末機９０又はリモコン８０により登録され、識別情報と関連付けて時刻情報テーブル１８に記憶されている。
【００７４】
図１０は時刻情報を示す図表である。時刻情報は開始時刻及び終了時刻が設定されており、斯かる時間内に限り、電源制御部１１は、端末認識信号に基づく給電状態の制御を行う。例えば識別情報「Ａ１２３Ｚ」には、平日は７時から８時まで及び１８時から２１時までの時間、休日は７時から２１時までの時間を示す時刻情報が関連付けられている。識別情報「Ｂ４５６Ｙ」には、平日は９時から２１時までの時間を示し、休日はいずれの時間も示されていない時刻情報が関連付けられている。識別情報「Ｃ７８９Ｘ」には、平日及び休日共には７時から２２時までの時間を示す時刻情報が関連付けられている。
【００７５】
通信端末機９０は識別情報が含まれた無線の端末認識信号を送信する。端末受信部９は斯かる無線の端末認識信号を受信し、電源制御部１１に識別情報と時刻情報とが含まれた端末認識信号を送信する。電源制御部１１は、識別情報テーブル１７から識別情報を読み出すと共に時刻情報テーブル１８から時刻情報を読み出す。電源制御部１１は、端末認識信号に含まれる識別情報が読み出した識別情報と一致するか否かの判定を判定部１４に行わせる。
【００７６】
電源制御部１１は、判定部１４が両者の識別情報が一致すると判定した場合、計時部１２から現在時刻を読み出し、現在の時刻が時刻情報で示される時刻範囲内か否かを判定する。電源制御部１１は時刻情報で示される時刻が範囲内である場合は、第１の実施の形態と同様に、給電状態の制御を行う。電源制御部１１は時刻が範囲外である場合は、端末認識信号を受信していない場合と同様の処理を行う。
【００７７】
電源制御部１１が行う処理について説明する。図１１及び図１２は第４の実施の形態における電源制御部１１の処理を示すフローチャートである。まず、電源制御部１１は、判定部１４に、電源オンの状態即ち全部給電状態であるか否かを判定させる（ステップＳ６１）。全部給電状態である場合は（ステップＳ６１でＹＥＳ）、電源制御部１１は計時部１２に計時を開始させる（ステップＳ６２）。信号部１５が一定時間内に端末認識信号を受信したか否かを判定部１４が判定し、電源制御部１１は、判定結果を受信する（ステップＳ６３）。電源制御部１１は、判定結果が端末認識信号を受信していないことを示すものである場合は（ステップＳ６３でＮＯ）、全部停止状態に移行し（ステップＳ６４）、処理を終了する。一方、電源制御部１１は、判定結果が端末認識信号を受信したことを示すものである場合は（ステップＳ６３でＹＥＳ）、電源制御部１１は、識別情報を抽出部１６から抽出させ（ステップＳ６５）、識別情報テーブル１７から識別情報を読み出し、時刻情報テーブル１８から時刻情報を読み出す（ステップＳ６６）。
【００７８】
電源制御部１１は、判定部１４に端末認識信号に含まれる識別情報と読み出した識別情報とが一致するか否かを判定させる（ステップＳ６７）。電源制御部１１は、判定部１４が、両者の識別情報が一致していないと判定した場合は（ステップＳ６７でＮＯ）、全部停止状態に移行し（ステップＳ６４）、処理を終了する。電源制御部１１は、判定部１４が、両者の識別情報が一致したと判定した場合は（ステップＳ６７でＹＥＳ）、計時部１２より現在の時刻を読み出す（ステップＳ６８）。電源制御部１１は、一致した識別情報と対応付けられた時刻情報と現在の時刻を示す情報とを比較し、現在の時刻が時刻情報で示す時間の範囲内か否かを判定する（ステップＳ６９）。時刻が範囲内である場合は（ステップＳ６９でＹＥＳ）、電源制御部１１は、全部給電状態のまま処理を終了する。時刻が範囲外である場合は（ステップＳ６９でＮＯ）、電源制御部１１は、全部停止状態に移行し（ステップＳ６４）、処理を終了する。
【００７９】
全部給電状態ではない場合は（ステップＳ６１でＮＯ）、信号部１５が一定時間内に端末認識信号を受信したか否かを判定部１４が判定し、電源制御部１１は、判定結果を受信する（ステップＳ７０）。電源制御部１１は、判定結果が端末認識信号を受信していないことを示すものである場合は（ステップＳ７０でＮＯ）、テレビジョン受信機が全部停止状態であるか否かを判定する（ステップＳ７１）。電源制御部１１は、全部停止状態の場合には（ステップＳ７１でＹＥＳ）、全部停止状態のまま、処理を終了する。電源制御部１１は、一部給電状態の場合は（ステップＳ７１でＮＯ）全部停止状態に移行し（ステップＳ７２）、処理を終了する。
【００８０】
電源制御部１１は、判定部１４の判定結果が端末認識信号を受信したことを示すものである場合は（ステップＳ７０でＹＥＳ）、識別情報を抽出部１６から抽出させ（ステップＳ７３）、識別情報テーブル１７から識別情報を読み出し、時刻情報テーブル１８から時刻情報を読み出す（ステップＳ７４）。電源制御部１１は端末認識信号に含まれる識別情報と読み出した識別情報とが一致するか否かを判定する認証処理を行う（ステップＳ７５）。電源制御部１１は、認証処理の結果、両者の識別情報が一致しない場合は（ステップＳ７５でＮＯ）、前述した場合と同様に、テレビジョン受信機が全部停止状態であるか否かを判定する（ステップＳ７１）。
【００８１】
両者の識別情報が一致した場合は（ステップＳ７５でＹＥＳ）、計時部１２より現在の時刻を読み出す（ステップＳ７６）。電源制御部１１は、一致した識別情報と対応付けられた時刻情報と現在の時刻を示す情報とを比較し、現在の時刻が時刻情報で示す時間の範囲内か否かを判定する（ステップＳ７７）。時刻が範囲外である場合は（ステップＳ７７でＮＯ）、前述した場合と同様に、テレビジョン受信機が全部停止状態であるか否かを判定する（ステップＳ７１）。
【００８２】
時刻が範囲内である場合は（ステップＳ７７でＹＥＳ）、電源制御部１１は、テレビジョン受信機が一部給電状態であるか否かを判定する（ステップＳ７８）。一部給電状態の場合には（ステップＳ７８でＹＥＳ）、一部給電状態を継続したまま処理を終了する。電源制御部１１は、全部停止状態の場合は（ステップＳ７８でＮＯ）、一部給電状態に移行し（ステップＳ７９）、処理を終了する。
【００８３】
本実施の形態によれば、記憶部である時刻情報テーブル１８が時刻情報を記憶することにより、端末の所有者のテレビの視聴を時間毎に制限することができる。
【００８４】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００８５】
１  電源部
２  操作制御部
３  ＲＯＭ
４  ＲＡＭ
５  表示部
６  ＨＤＤ
７  映像処理部
８  リモコン受信部
９  端末受信部
１１  電源制御部  
１２  計時部
１３  給電部
１４  判定部
１５  信号部
１６  抽出部
１７  識別情報テーブル
１８  時刻情報テーブル
５１  表示パネル
５２  バックライト
７１  チューナ
７２  復調部
７３  復号部
７４  ＯＳＤ部 
１００  テレビジョン受信機
【図１】
2013198000.tif 000003
【図２】
2013198000.tif 000004
【図３】
2013198000.tif 000005
【図４】
2013198000.tif 000006
【図５】
2013198000.tif 000007
【図６】
2013198000.tif 000008
【図７】
2013198000.tif 000009
【図８】
2013198000.tif 000010
【図９】
2013198000.tif 000011
【図１０】
2013198000.tif 000012
【図１１】
2013198000.tif 000013
【図１２】
2013198000.tif 000014